(57)【要約】【課題】  着用者又は救助者によって迅速にかつ容易に取り外しができること。【解決手段】  前身頃体１０と後身頃体３０には、前記前身頃体１０及び前記後身頃体３０の少なくとも二箇所で互いに連結及び連結を解除することが可能な連結・解除機構４１，４２，４６，４７と、前記連結・解除機構４１，４２，４６，４７の連結状態を協働して解除可能となす解除手段５１，５２，５６，５７とを有している。【選択図】      図５
2006144170.tif 000002
【特許請求の範囲】
【請求項１】
着用者の胸面・腹面に装着させる前身頃体と、前記着用者の背面に装着させる後身頃体とを含む胴衣において、前記前身頃体及び前記後身頃体には、前記前身頃体及び前記後身頃体の少なくとも二箇所で互いに連結及び連結を解除することが可能な連結・解除機構と、前記連結・解除機構の連結状態を協働して解除可能となす解除手段とを有していることを特徴とする胴衣。
【請求項２】
請求項１記載の胴衣において、前記連結・解除機構はボタン、面ファスナーのいずれかと、トップオープンタイプのジッパーの組み合わせからなることを特徴とする胴衣。
【請求項３】
請求項１又は２記載の胴衣において、前記解除手段は、前記連結・解除機構に接続した前記紐又はワイヤーであることを特徴とする胴衣。
【請求項４】
請求項１乃至３のいずれか１項に記載の胴衣において、前記前身頃体は前記着用者の前記胸面・腹面に対応させる前身主体部と、前記着用者の肩面に対応させるよう前記前身主体部から延びている一対の前身肩部とを有し、前記後身頃体は前記着用者の前記背面に対応する後身主体部と、該後身主体部の上部から前記着用者の前記肩面のそれぞれに対応させるように前記後身主体部から延びている一対の後身肩部と、前記前身主体部の表面に対向するように延びている一対の後身装着部とを有し、前記前身主体部及び前記後身装着部は前記前身主体部及び前記後身装着部を連結する第１連結手段と、前記前身肩部及び前記後身肩部を連結する第２連結手段を有し、前記連結・解除手段は、前記第１及び第２連結手段によって連結した状態を解除する前記解除手段が接続されていることを特徴とする胴衣。
【請求項５】
請求項４記載の胴衣において、前記前身主体部には前記前身主体部に着脱可能な一対の前身連結部が設けられており、前記後身装着部が前記前身連結部のそれぞれに着脱可能に設けられており、前記第１連結手段は前記前身連結部及び前記前身主体部を連結していることを特徴とする胴衣。
【請求項６】
請求項５記載の胴衣において、前記第１連結手段は前記前身主体部に固定されている第１主体側連結部材と、該第１主体側連結部材に連結・解除可能となすよう前記前身連結部に設けた第１前身側連結部材とを有することを特徴とする胴衣。
【請求項７】
請求項1乃至３のいずれか１項に記載の胴衣において、前記前身頃体は前記着用者の前記胸面・腹面に対応させる前身主体部と、前記着用者の肩面に対応させるよう前記前身主体部から延びている一対の前身肩部とを有し、前記後身頃体は後身主体部と、該後身主体部から前記着用者の前記肩面のそれぞれに対応させるように前記後身主体部から延びている一対の後身肩部と、前記着用者の前記腹面に対向する前記前身主体部に着脱可能に止着する前記後身主体部に設けた一対の後身連結部を有し、前記前身主体部及び前記後身連結部は前記前身主体部と前記後身連結部とを連結する第１連結手段と、前記前身肩部及び前記後身肩部を連結する第２連結手段とを有し、前記第１及び第２連結手段には前記第１及び第２連結手段によって連結した状態を解除する前記解除手段が接続されていることを特徴とする胴衣。
【請求項８】
請求項７記載の胴衣において、前記第１連結手段は前記前身主体部に固定されている第１主体側連結部材と、該第１主体側連結部材に連結・解除可能に前記後身連結部に設けた第１後身側連結部材とを有することを特徴とする胴衣。
【請求項９】
請求項７又は８記載の胴衣において、前記後身主体部には前記前身主体部上で前記着用者の前記腹面に対向するように延びている帯長形状の後身装着部が設けられており、前記後身装着部の両端部には互いに両端部同士を合わせたときに止着・離脱が可能な止着部材が設けられていることを特徴とする胴衣。
【請求項１０】
請求項７記載の胴衣において、前記後身主体部には、前記後身連結部を移動可能に覆う後身被覆部が設けられていることを特徴とする胴衣。
【請求項１１】
請求項４又は７記載の胴衣において、前記解除手段は前記第１連結手段の連結状態を解除する第１解除部材と、前記第２連結手段の連結状態を解除する第２解除部材とを有していることを特徴とする胴衣。
【請求項１２】
請求項１１記載の胴衣において、前記第１解除部材及び前記第２解除部材が互いに接続されていることを特徴とする胴衣。
【請求項１３】
請求項１１記載の胴衣において、前記第１解除部材及び前記第２解除部材の中間部分は、前記前身主体部から外へ露出していることを特徴とする胴衣。
【請求項１４】
請求項１１記載の胴衣において、前記第１解除部材及び前記第２解除部材の中間部分は、前記後身主体部から外へ露出していることを特徴とする胴衣。
【請求項１５】
請求項１４記載の胴衣において、前記中間部分には前記前記第１解除部材及び前記第２解除部材を操作する操作部を設けたことを特徴とする胴衣。
【請求項１６】
請求項１１記載の胴衣において、前記第２連結手段は前記前身肩部に一端部を固定した第２前身連結部材と、前記後身肩部に前記第２前身連結部材を連結する第２後身連結部材とを有することを特長とする胴衣。
【発明の詳細な説明】
【技術分野】
【０００１】
本発明は、身体に装着する前身頃体及び後身頃体とを連結・解除可能となす胴衣に関する。
【背景技術】
【０００２】
従来技術としては、着用者が装着する前身頃部材と後身頃部材とを備えている身体防御用胴衣が知られている。
【０００３】
前身頃部材は着用者の胸面・腹面に対応させる前身主体部と、前記着用者の肩面に対応させるように前身主体部から延びている一対の前身装着部とを有している。後身頃部材は、着用者の背面に対応させる後身主体部と、後身主体部の上側から着用者の首脇を通り左右の肩面のそれぞれに対応させるように延びている一対の肩掛け部と、後身頃主体部の両側から着用者の脇面に対応するように延びている一対の後身頃装着部とを有している。
【０００４】
一対の後身頃装着部の先端側には、第１の止着部材に重ね合わせ着脱可能に止着する第１の相手止着部材が設けられている。一対の肩掛け部には、第２の止着部材に着脱可能に止着する第２の相手止着部材が設けられている。
【０００５】
一対の肩掛け部の先端側には、第３の止着部材のそれぞれに一対一に着脱可能の止着する第３の相手止着部材が設けられている。前身主体部は装着者の腹面に対応する位置に第１の止着部材を有している。
【０００６】
一対の前身装着部のそれぞれには紐が係止されており、装着者が身体防御用胴衣を着用している状態から紐を引っ張ると、前身装着部がめくれるように引っ張られ、第２の止着部材と第２の相手止着部材との止着を外し、続いて第３の止着部材と第３の相手止着部材との止着を外す。さらに、第１の止着部材と第１の相手止着部材とを引き剥がされたときには、前身頃部材と後身頃部材とを取り外すことができる（例えば、特許文献１を参照）。
【０００７】
【特許文献１】特開平２０００−３２０９９９号公報
【発明の開示】
【発明が解決しようとする課題】
【０００８】
しかしながら、特許文献１では、装着者が身体防御用胴衣を着用している状態から一対の前身装着部の紐を引っ張ることによって前身装着部を外し、第２の止着部材と第２の相手止着部材との止着を外した後は、続いて第３の止着部材と第３の相手止着部材との止着を手によって外す操作があるので、片手で操作を行うには二回の操作を必要とする。
【０００９】
また、一対の前身装着部の紐を引っ張る操作を迅速に行うには、両手によって同時に紐を引っ張る操作が必要となる。しかし、装着者は、一方の手によって防御用具などを持つことが多くあり、他方の手による着脱操作だけでは身体防御用胴衣を容易に脱ぎ捨てることができないという問題がある。
【００１０】
また、着用者が飛弾などにより負傷している場合には、救助者が身体防御用胴衣を着用者から迅速に取り外し処置する必用がある。この際、第２の止着部材と第２の相手止着部材との止着を外した後、続いて第３の止着部材と第３の相手止着部材との止着を手によって外す操作を行うことから、多くの時間を要してしまうという問題がある。
【００１１】
それ故に、本発明の課題は、緊急時の行動に対して容易に脱げることができる胴衣を提供することにある。
【００１２】
また、本発明の他の課題は、救助者が着用者から迅速に取り外しができる胴衣を提供することにある。
【課題を解決するための手段】
【００１３】
本発明によれば、着用者の胸面・腹面に装着させる前身頃体と、前記着用者の背面に装着させる後身頃体とを含む胴衣において、前記前身頃体及び前記後身頃体には、前記前身頃体及び前記後身頃体の少なくとも二箇所で互いに連結及び連結を解除することが可能な連結・解除機構と、前記連結・解除機構の連結状態を協働して解除可能となす解除手段とを有していることを特徴とする胴衣が得られる。
【発明の効果】
【００１４】
本発明の胴衣によれば、何等かの事態により迅速に着用者が胴衣を離脱させなければならない場合に、連結・解除機構と、連結・解除機構の連結状態を協働して解除可能となす解除手段とを有しているので、着用者が胴衣を何の障害もなく容易に脱ぎ捨てることができる。
【００１５】
また、着用者が自力で胴衣を脱ぎ捨てることができなくなった場合には、救助者が胴衣を簡単に脱がせてやることができ、水中や入水前などの状況下においても、救助者が簡単に胴衣を着用者から取り外すことができる。
【００１６】
また、本発明の胴衣では、後身頃体を前身肩部で連結する連結手段に、連結手段の連結状態を解除する解除部材を接続して、解除部材同士を接続するようにすれば、連結手段の連結状態を同時に解除することができる。
【発明を実施するための最良の形態】
【００１７】
本発明の胴衣は、着用者の胸面・腹面に装着させる前身頃体と、前記着用者の背面に装着させる後身頃体とを含む胴衣において、前記前身頃体及び前記後身頃体には、前記前身頃体及び前記後身頃体の少なくとも二箇所で互いに連結及び連結を解除することが可能な連結・解除機構と、前記連結・解除機構の連結状態を協働して解除可能となす解除手段とを有していることを最も主要な特徴とする。
【実施例１】
【００１８】
以下に、本発明の胴衣の実施例１を説明する。図１乃至図４は本発明の胴衣を着用者に装着した状態の実施例１を示している。図１は、胴衣を着用者の前面からみた状態を示している。図２は、図１に示した胴衣を斜め右側から見た状態を示している。図３は、図１に示した胴衣を斜め右側の背面側から見た状態を示している。図４は、図１に示した胴衣を背面から見た状態を示している。
【００１９】
図１乃至図４を参照して、胴衣は、着用者１の胸面・腹面に対向させて装着する前身頃体１０と、着用者１の背面に対向させて装着する後身頃体３０とを備えている。
【００２０】
図５は、前身頃体１０を後身頃体３０から外して前身頃体１０を展開した状態で示している。図１乃至図４とともに図５を参照して、前身頃体１０は着用者１が着用したときに、着用者１の胸面・腹面に対応する前身主体部１２と、着用者１の肩面にそれぞれ対応させるように前身主体部１２の上部から延びている一対の前身肩部１４ａ，１４ｂとを有している。
【００２１】
図６は、図１の胴衣の後身頃部材を展開して背面から見た状態を示している。図７は図６に示した後身頃体３０を内側から見た状態を示している。図６及び図７をも参照して、後身頃体３０は、着用者１が胴衣を着用したときに、着用者１の背面に対応する後身主体部３２と、後身主体部３２の上部から着用者１の肩面のそれぞれに対応させるように後身主体部３２から延びている一対の後身肩部３３ａ，３３ｂとを有している。
【００２２】
さらに、図１、図２及び図５に示したように、着用者１の腹面に対応する部分における前身主体部１２の表面には、上部が前身主体部１２の上部に接続されている前掛け部１２ａが前身主体部１２の表面を開閉可能になすように設けられている。
【００２３】
また、図１、図２及び図５に示したように、着用者１の胸面及び肩部に対応する前身主体部１２の表面及び一対の前身肩部１４ａ，１４ｂの表面には、前身主体部１２の表面、及び一対の前身肩部１４ａ，１４ｂの表面を開閉可能になすように前上掛け部１２ｂが設けられている。
【００２４】
さらに、一対の後身肩部３３ａ，３３ｂには、図２、図３，図４，図６及び図７に示したように、一対の後身肩部３３ａ，３３ｂと一体に一対の肩掛け部３３ｄ,３３ｅが設けられている。一対の肩掛け部３３ｄ,３３eは、一対の後身肩部３３ａ，３３ｂ及び一対の前身肩部１４ａ，１４ｂの表面を開閉可能になすものである。
【００２５】
また、図６及び図７に示したように、着用者１の首部の周りに対応する一対の後身肩部３３ａ，３３ｂには、略馬蹄形の首襟部３３ｇが一対の後身肩部３３ａ，３３ｂと一体に設けられている。なお、図７に示した後身主体部３２の中央部には、防護板３２ａが設けられている。
【００２６】
前身主体部１２，前掛け部１２ａ及び前上掛け部１２ｂの表面には、複数のテープ状の差し込み保持部１４が上下方向に間隔をもって並列に設けられている。これらの差し込み保持部１４は、装着者１が使用する用品を差し込み保持する部分である。なお、実施例１の対応する図面では、図１を除く他の図において差し込み保持部１４を省略している。
【００２７】
前身主体部１２の下方側の表面には、図８乃至図１１に示すように、帯状の止着部材１２ｍが設けられている。一方、前掛け部１２ａの内側面には、前身主体部１２に対向させた際に、止着部材１２ｍに止着・離脱が可能な止着部材１２ｎが設けられている。前掛け部１２ａは、内側面に設けられている止着部材１２ｎによって前身主体部１２の表面に設けられている止着部材１２ｍに止着・離脱が可能なものである。
【００２８】
前身頃体１０及び後身頃体３０には、図８乃至図１１に示したように、前身主体部１２及び後身主体部３２を互いに連結・解除可能な連結・解除機構としての一対の第１連結手段４１，４２と、図１２に示す前身肩部１４ａ，１４ｂ及び後身肩部３３ａ，３３ｂを互いに連結・解除可能な連結・解除機構としての第２連結手段４６，４７とが設けられている。
【００２９】
第１連結手段４１，４２には、解除手段としての一対の第１解除部材５１，５２が接続されている。第１解除部材５１，５２は、前身主体部１２及び後身主体部３２が連結している状態から前身主体部１２を後身主体部３２から引き離して連結状態を解除する役目を果たす。
【００３０】
一対の第２連結手段４６，４７には、図５及び図１２に示したように、解除手段としての一対の第２解除部材５６，５７が接続されている。第２解除部材５６，５７は、前身肩部１４ａ，１４ｂ及び後身肩部３３ａ，３３ｂが連結している状態から前身肩部１４ａ，１４ｂを後身肩部３３ａ，３３ｂから引き離して連結状態を解除する役目を果たす。
【００３１】
装着者１の腹面に対向する前身主体部１２の表面には、図５、図８、図９、図１１及び図１２に示したように、一対の前身連結部１６ａ，１６ｂが設けられている。一対の前身連結部１６ａ，１６ｂは、前身主体部１２に着脱可能となっている。
【００３２】
後身頃体３０は、図６及び図７、図１１、及び図１２によってもっとも良く分かるように、後身主体部３２の左側縁及び右側縁からそれぞれ延びている一対の後身装着部３４ａ，３４ｂを有している。
【００３３】
一対の後身装着部３４ａ，３４ｂは、前身主体部１２上の腹面に対向するように延びており、一対の前身連結部１６ａ，１６ｂの表面のそれぞれに一対一に着脱可能となっている。前身連結部１６ａ，１６ｂの表面には、止着・離脱が可能な止着部材１６ｍ，１６ｎが設けられている。
【００３４】
後身装着部３４ａ，３４ｂの内側面には、止着・離脱が可能な止着部材３４ｎが設けられている。後身装着部３４ａ，３４ｂは、内側面に設けられている止着部材３４ｎによって前身連結部１６ａ，１６ｂの表面に設けられている止着部材１６ｍ，１６ｎに着脱可能となっている。
【００３５】
第１連結手段４１，４２は、一対の前身連結部１６ａ，１６ｂ及び前身主体部１２を連結している。前身主体部１２の表面には、図８、図１０、及び図１２に示したように、前身連結部１６ａ，１６ｂを所定位置に設けるための止着部材１２ｐが設けられている。
【００３６】
前身連結部１６ａ，１６ｂには、前身主体部１２の止着部材１２ｐに着脱可能となる止着部材１２ｑが設けられている。前身主体部１２と前身連結部１６ａ，１６ｂとは、第１連結手段４１，４２及び前身連結部１６ａ，１６ｂによって前身主体部１２の所定位置に着脱可能になっている。
【００３７】
第１連結手段４１，４２は、前身主体部１２に固定されている第１主体側連結部材４１ａ，４２ａと、一対の前身連結部１６ａ，１６ｂに設けられている第１前身側連結部材４１ｂ，４２ｂとを有する。
【００３８】
なお、実施例１における第１連結手段４１，４２は、装着者１の胸面から腹面にかけて設けられているトップオープンタイプのジッパーを採用している。第１主体側連結部材４１ａ，４２ａと第１前身側連結部材４１ｂ，４２ｂとは、互いに噛み合って連結し、噛み合わせの上部の位置以上にスライダー４１ｓ，４２ｓを移動させると、噛み合わせが外れるようになっている。
【００３９】
第２連結手段４６，４７は、前身肩部１４ａ，１４ｂに一端部が固定されているテープ状の第２前身連結部材５５ａ，５５ｂ（図５を参照）と、後身肩部３３ａ，３３ｂに固定されているリング状の第２後身連結部材６１ａ，６１ｂ（図６を参照）とから構成されている。
【００４０】
第２前身連結部材５５ａ，５５ｂは、第２後身連結部材６１ａ，６１ｂにループ状に通されて連結される。第２前身連結部材５５ａ，５５ｂには、第２後身連結部材６１ａ，６１ｂにループ状に通された後に、第２前身連結部材５５ａ，５５ｂが重ね合わされた部分で互いに止着する止着部材５５ｄ，５５ｅが設けられている。
【００４１】
第１解除部材５１，５２の一端部は、第１連結手段４１，４２に接続されており、第２解除部材５６，５７のもう一端部が第２連結手段４６，４７に接続されている。
【００４２】
第１及び第２解除部材５１，５２、５６，５７のほとんどの部分は、前身主体部１２内に配されている。なお、第１及び第２解除部材５１，５２、５６，５７の中間部分の一部は、前身主体部１２の表面上に露出している。第１及び第２解除部材５１，５２、５６，５７が露出している中間部分の一部には、前身主体部１２と同様な材料にて作られている小片形状の操作部７１が設けられている。
【００４３】
操作部７１には、止着部材７１ａが設けられている。操作部７１の止着部材７１ａは、前掛け部１２ａの上部の近傍で前身主体部１２に設けられている止着部材１２ｒに着脱可能となっている。
【００４４】
胴衣を着用者１に装着するには、着用者１の胸面・腹面・胸面に前身頃体１０を対応させ、着用者１の背面に後身頃体３０を対応させる。そして、第１連結手段４１，４２によって前身連結部１６ａ，１６ｂと前身主体部１２とを連結する。
【００４５】
さらに、前身連結部１６ａ，１６ｂの表面には、後身装着部３４ａ，３４ｂを巻きつけるようにして装着する。そして、第２連結手段４５，４６には、一対の前身肩部１４ａ，１４ｂと一対の後身肩部３３ａ，３３ｂと第２連結手段４６，４７によって連結すると図１に示したように装着が完了する。
【００４６】
この際、第１及び第２解除部材５１，５２、５６，５７は、第１及び第２連結手段４１，４２，４５，４６側へ引っ張られており、操作部７１が止着部材１２ｒ，７１ａによって止着されている。
【００４７】
以下に、図１に示した装着状態から第１及び第２解除部材５１，５２、５６，５７によって、前身主体部１２及び後身主体部３２、前身肩部１４ａ，１４ｂ及び後身肩部３３ａ，３３ｂの連結状態を解除する操作について説明する。
【００４８】
図１３乃至図１６は、第１解除部材５１，５２によって、前身主体部１２及び後身主体部３２を引き離して連結状態を解除する操作を示している。
【００４９】
図１３乃至図１６を参照して、第１連結手段４１，４２及び第２連結手段４６，４７は、図１に示した操作部７１を図１３に示すように前身主体部１２から離れるように引っ張ることによって連結が解除される。
【００５０】
第１解除部材５１，５２は、前身主体部１２及び後身主体部３２が連結している状態から前身主体部１２及び後身主体部３２を引き離して連結状態を解除する。即ち、第１連結手段４１，４２は、上述したように、装着者１の胸面から腹面にかけて設けられているトップオープンタイプのジッパーであり、第１主体側連結部材４１ａ，４２ａに設けられているスライダー４１ｓ，４２ｓに第１解除部材５１，５２の一端部が接続されている。
【００５１】
第１解除部材５１，５２は、操作部７１を引っ張ると、装着者１の腹面で胸面の方向へ移動する。スライダー４１ｓ，４２ｓは、図１４乃至図１６に示すように、第１解除部材５１，５２によって引き上げられる。このとき、第１主体側連結部材４１ａ，４２ａと、第１前身側連結部材４１ｂ，４２ｂは離されて連結状態が解除される。
【００５２】
第２解除部材４６，４７は、テープ状の第２前身連結部材５５ａ，５５ｂ（図５及び図１２を参照）と、後身肩部３３ａ，３３ｂに固定されているリング状の後身連結部材６１ａ，６１ｂとから構成されている。
【００５３】
着用者１に胴衣を装着する際には、図１７に示した前身肩部１４ａ，１４ｂに一端部が固定されている第２前身連結部材５５ａ，５５ｂを、後身肩部３３ａ，３３ｂに固定されている第２後身連結部材６１ａ，６１ｂに通す。その後、第２前身連結部材５５ａ，５５ｂは、互いに対向するテープ状面のそれそれに設けてある止着部材５５ｄ，５５ｅ同士を合わせて止めることによって第２前身連結部材５５ａ，５５ｂが第２後身連結部材６１ａ，６１ｂに連結する。
【００５４】
第２解除部材５６，５７は、図１７乃至図２０に示すように、前身肩部１４ａ，１４ｂ及び後身肩部３３ａ，３３ｂが連結している状態から前身肩部１４ａ，１４ｂ及び後身肩部３３ａ，３３ｂを引き離すことにより連結している連結状態を解除する役目を果たす。
【００５５】
前身肩部１４ａ，１４ｂ及び後身肩部３３ａ，３３ｂが連結している状態から解除するには、第２解除部材５６，５７を操作部７１により引っ張り、第２前身連結部材５５ａ，５５ｂに設けられている止着部材５５ｄ，５５ｅを引き離すことによって前身肩部１４ａ，１４ｂ及び後身肩部３３ａ，３３ｂが離されて連結状態を解除する。
【００５６】
操作部７１は、片手で操作することによって第１及び第２解除部材５１，５２、５６，５７を同時に引っ張ることができる。よって、第１及び第２連結手段４１，４２、４６，４７は、片手によって同時に第１及び第２連結手段４１，４２、４６，４７は、協働して引き離して連結状態を解除することができる。
【００５７】
また、操作部７１は、図２１に示すように、前身主体部１２の内側に設けることができる。この際、第１及び第２解除部材５１，５２、５６，５７は、前身主体部１２の内部を通し前身主体部１２の内面から内面上で操作部７１に接続するようにしてもよい。
【００５８】
実施例１にける第１及び第２連結手段４１，４２、４６，４７は、左右方向の引っ張りに強い面ファスナー（ベルベットクロス・ファスナー）、スナップ式ファスナー、スナップボタン、ファスナーテープ、スナップテープなどから選択した一種を連結手段として利用することもできる。
【００５９】
止着部材１２ｍ，１２ｎ、１２ｐ，１２ｑ、１２ｒ、１６ｍ，１６ｎ、３４ｎ、５５ｄ，５５ｅ、７１ａは、面ファスナー、スナップ式ファスナー、スナップボタン、ファスナーテープ、スナップテープなどから選択して適宜に利用する。
【００６０】
なお、上述した第１及び第２連結手段４１，４２、４６，４７は、第１及び第２解除部材５１，５２、５６，５７によって引き離し解除できるものであることが必要である。
【００６１】
また、止着部材１２ｍ，１２ｎ、１２ｐ，１２ｑ、１２ｒ、１６ｍ，１６ｎ、３４ｎ、５５ｄ，５５ｅ、７１ａは、例えば、面ファスナーを用いた場合に、止着箇所により止着面積を適宜に設計して利用する。
【００６２】
前身連結部材５５ａ、５５ｂは、たとえば、樹脂糸を編成してバンド状に形成したものを採用することができる。
【００６３】
第１及び第２解除部材５１，５２，５６，５７は、これらが一本の樹脂線材が望ましいが、糸紐や糸撚線材のような紐、鋼線材のようなワイヤーなど引っ張り力に対して容易に切断しない部材を採用する。
【００６４】
前身頃体１０及び後身頃体３０は、樹脂シート、布などの外被を袋形状にして一体に縫製することができる。
【００６５】
さらに、実施例１では、第１連結手段４１，４２により前身連結部１６ａ，１６ｂ及び前身主体部１２を連結した具体例を示したが、その他の変形例として、前身連結部１６ａ，１６ｂを採用しない場合には、前身主体部１２に固定されている第１主体側連結部材４１ａ，４２ａと、第１主体側連結部材４１ａ，４２ａに連結・解除可能に後身装着部３４ａ，３４ｂに設けた第１前身側連結部材４１ｂ，４２ｂとによって連結するように構成してもよい。
【００６６】
さらに、第１連結手段４１，４２であるトップオープンタイプのジッパーは、下向きに第１解除部材５１，５２を引っ張り、第１主体側連結部材４１ａ，４２ａと、第１前身側連結部材４１ｂ，４２ｂを離して連結状態が解除するように逆転して位置するようにしてもよい。
【実施例２】
【００６７】
以下に、本発明の胴衣の実施例２を図面に基づき説明する。図２２は本発明の胴衣を着用者に装着した状態の実施例２を示している。図２３（Ａ）は、図２２に示した胴衣の断面を示している。図２３（Ｂ）は、図２３（Ａ）に示した一方の第２連結手段が解除される途中の状態を拡大して示している。図２４は図２２に示した前身頃体を展開した状態を示している。図２５は、図２４に示した前身頃体のみを裏面から見た図である。
【００６８】
図２２乃至図２５を参照して、胴衣は、着用者１の胸面・腹面に対向させて装着する前身頃体１１０と、着用者１の背面に対向させて装着する後身頃体１３０とを備えている。
【００６９】
前身頃体１１０は着用者１が着用したときに、着用者１の胸面・腹面に対応する前身主体部１１２と、着用者１の肩面にそれぞれ対応させるように前身主体部１１２の上部から延びている一対の前身肩部１１４ａ，１１４ｂとを有している。
【００７０】
着用者１の胸面に対応する部分における前身主体部１１２の表面には、上部が前身主体部１１２の上部に接続されている前掛け部１１２ａが前身主体部１１２の上部の表面を開閉可能になすように設けられている。
【００７１】
前身主体部１１２の下部には、図２４及び図２５に示されているように一対の前身装着部１１２ｃ、１１２ｄが形成されている。一対の前身装着部１１２ｃ、１１２ｄは、前身主体部１１２の下部から前身主体部１１２の左及び右へそれぞれ延びている。一対の前身装着部１１２ｃ、１１２ｄ及び前身主体部１１２の下部の表面には、止着部材１１２ｍ（図２４を参照）が設けられている。なお、図２５における前身主体部１１２の中央部分には、防護板１３２ａが設けられている。
【００７２】
一対の前身肩部１１４ａ，１１４ｂには、一対の前身肩部１１４ａ，１１４ｂと一体に一対の肩掛け部１１４ｄ,１１４ｅが設けられている。一対の肩掛け部１１４ｄ,１１４eは、一対の前身肩部１１４ａ，１１４ｂ及び一対の前身肩部１１４ａ，１１４ｂの表面を開閉可能になすものである。
【００７３】
図２６は、図２２に示した後身頃体１３０を展開して背面から見た状態を示している。図２７は、図２６に示した後身頃体１３０を裏面から見た状態を示している。
【００７４】
後身頃体１３０は、図２３（Ａ）、図２６及び図２７に示したように、着用者１が胴衣を着用したときに、着用者１の背面に対応する後身主体部１３２と、後身主体部１３２の上部から着用者１の肩面のそれぞれに対応させるように後身主体部１３２から延びている一対の後身肩部１３３ａ，１３３ｂとを有している。
【００７５】
着用者１の背面に対応する後身主体部１３２の下部には、図２３（Ａ）、図２６及び図２７に示したように、前身主体部１１２上で着用者１の腹面に対向するように延びている帯長形状の後身装着部１３５が設けられている。後身装着部１３５は、後身主体部１３２の下部に一体となるように縫い付けられている。後身装着部１３５の両端部には、互いに両端部同士を合わせたときに、止着・離脱が可能な止着部材１３５ａ，１３５ｂが設けられている。
【００７６】
後身装着部１３５及び後身主体部１３２の下部の表面上には、図２６に示すように、後身装着部１３５の長手方向へ移動可能な一対の後身連結部１３６ａ、１３６ｂが設けられている。後身装着部１３５の左右の両端部は、一対の後身連結部１３６ａ、１３６ｂの左右の両端から突出して延びている。後身連結部１３６ａ、１３６ｂの裏面には、一対の前身装着部１１２ｃ、１１２ｄ及び前身主体部１１２の下部の表面に設けられている止着部材１１２ｍ（図２４を参照）に着脱可能に止着する止着部材（図示せず）が設けられている。
【００７７】
さらに、着用者１の背面の下部に対応する後身主体部１３２には、一対の後身連結部１３６ａ、１３６ｂを着用者１の背面の下部に対応した位置で移動可能に覆うように一対の後身被覆部１３８ａ，１３８ｂが設けられている。一対の後身被覆部１３８ａ，１３８ｂは、後身主体部１３２の上下方向を直交する上下辺で後身主体部１３２に縫い付け固定されている。
【００７８】
前身主体部１１２，前掛け部１１２ａ、後身主体部１３２及び後身連結部１３８ａ，１３８ｂの表面には、複数のテープ状の差し込み保持部１３３が上下方向に間隔をもって並列に設けられている。これらの差し込み保持部１３３は、装着者１が使用する用品を差し込み保持する部分である。
【００７９】
後身主体部１３２と一対の後身連結部１３６ａ、１３６ｂとには、図２８に示すように、一対の後身被覆部１３８ａ，１３８ｂの内側において、後身主体部１３２と連結するための一対の第１連結手段１４１，１４２が設けられている。
【００８０】
第１連結手段１４１，１４２は、後身主体部１３２に固定されている第１主体側連結部材１４１ａ，１４２ａと、一対の後身連結部１３６ａ，１３６ｂに設けられている第１後身側連結部材１４１ｂ，１４２ｂとを有する。
【００８１】
なお、実施例２における第１連結手段１４１，１４２は、装着者１の胸面から腹面にかけて設けられているトップオープンタイプのジッパーを採用している。第１主体側連結部材１４１ａ，１４２ａと第１後身側連結部材１４１ｂ，１４２ｂとは、互いに噛み合って連結し、噛み合わせの上部の位置以上にスライダー１４１ｓ，１４２ｓをスライドさせると、噛み合わせが外れるようになっている。
【００８２】
第１連結手段１４１，１４２には、第１解除部材（解除手段）１５１，１５２の一端が接続されている。後身主体部１３２の裏面の下部には、図２６乃至図２８に示したように、第１解除部材１５１，１５２のもう一端を接続している操作部１７１が位置している。第１解除部材１５１，１５２は、後身主体部１３２及び一対の後身連結部１３６ａ、１３６ｂが連結している状態から一対の後身連結部１３６ａ、１３６ｂを後引き離して連結状態を解除する役目を果たす。
【００８３】
さらに、前身主体部１１２と後身主体部１３２とには、図２２、図２３（Ａ），図２３（Ｂ）及び図２６に示したように、前身肩部１１４ａ，１１４ｂ及び後身肩部１３３ａ，１３３ｂを互いに連結する第２連結手段１４６，１４７が設けられている。
【００８４】
一対の第２連結手段１４６，１４７のそれぞれには、一対の第２解除部材（解除手段）１５６，１５７の一端が接続されている。第２解除部材１５６，１５７は、前身肩部１１４ａ，１１４ｂ及び後身肩部１３３ａ，１３３ｂが連結している状態から前身肩部１１４ａ，１１４ｂを後身肩部１３３ａ，１３３ｂから引き離して連結状態を解除する役目を果たす。
【００８５】
第２連結手段１４６，１４７は、後身肩部１３３ａ，１３３ｂに中間部分が固定されているテープ状の第２後身連結部材１５５ａ，１５５ｂ（図２２、図２３、図２６及び図２７を参照）と、図２２及び図２３に示した前身肩部１１４ａ，１１４ｂに固定されているテープ状の付加前身連結部材１６０ａ，１６０ｂと、リング状の第２前身連結部材１６１ａ，１６１ｂとによって構成されている。
【００８６】
第２後身連結部材1５５ａ，１５５ｂは、第２前身連結部材１６１ａ，１６１ｂにループ状に通されて連結される。付加前身連結部材１６０ａ，１６０ｂは、第２前身連結部材１６１ａ，１６１ｂにループ状に通されて連結されている。
【００８７】
第２後身連結部材１５５ａ，１５５ｂは、図２３（Ａ）、図２６に示したように、第２前身連結部材１６１ａ，１６１ｂにループ状に通された後に、第２後身連結部材１５５ａ，１５５ｂが重ね合わされた部分で互いに止着する一対の止着部材１５５ｄ，１５５ｅ及び一対の止着部材１５５ｍ，１５５ｎが設けられている。
【００８８】
さらに、第１解除部材１５１，１５２の一端部は、第１連結手段１４１，１４２に接続されており、第２解除部材１５６，１５７のもう一端部が第２連結手段１４６，１４７に接続されている。
【００８９】
第１及び第２解除部材１５１，１５２、１５６，１５７の中間部は、後身主体部１３２内に配されている。なお、第１及び第２解除部材１５１，１５２、１５６，１５７の中間部分の一部は、後身主体部１３２の表面上に露出している。操作部１７１は後身主体部１３２と同様な材料にて小片形状に作られており、第１及び第２解除部材１５１，１５２、１５６，１５７が露出している中間部分の一部に設けられる。
【００９０】
一対の後身被覆部１３８ａ，１３８ｂは、互いに止着するファスナーである被覆連結部材１３８ｄ、１３８ｅを有している。互いに着用者１の背面の下部において後身主体部１３２上で合わされて被覆連結部材１３８ｄ、１３８ｅを互いに噛み合って連結し、噛み合わせの上部位置以上にスライダー１３８ｇをスライドさせると、噛み合わせが外れるようになっている。
【００９１】
図２６乃至図２８に示した操作部１７１には、止着部材（図示せず）を設け、後身主体部１３２の裏面下部に止着部材（図示せず）を設けることによって互いに着脱可能となる。
【００９２】
胴衣を着用者１に装着する前には、図２８に示すように、予め、被覆連結部材１３８ｄ、１３８ｅを離脱させて一対の第１連結手段１４１，１４２が露出するようにしておく。そして、後身主体部１３２と一対の後身被覆部１３８ａ，１３８ｂとは、第１連結手段１４１，１４２としての後身主体部１３２に固定されている第１主体側連結部材１４１ａ，１４２ａと、一対の後身連結部１３６ａ，１３６ｂに設けられている第１後身側連結部材１４１ｂ，１４２ｂとを止着しておく。その後、一対の後身被覆部１３８ａ，１３８ｂは、被覆連結部材１３８ｄ、１３８ｅを互いに噛み合わせた状態で連結させておく。
【００９３】
さらに、身主体部１１２と後身主体部１３２とには、図２２、図２３（Ｂ）、図２６及び図２７に示した前身肩部１１４ａ，１１４ｂ及び後身肩部１３３ａ，１３３ｂを第２連結手段１４６，１４７によって連結する。第２後身連結部材1５５ａ，１５５ｂは、第２前身連結部材１６１ａ，１６１ｂにループ状に通して連結する。第２後身連結部材１５５ａ，１５５ｂは、第２前身連結部材１６１ａ，１６１ｂにループ状に通した後、第２後身連結部材１５５ａ，１５５ｂが重ね合わされた部分で止着部材１５５ｄ，１５５ｅ，１５５ｍ，１５５ｎによって互いに止着させる。
【００９４】
胴衣を着用者１に装着するときには、着用者１の頭から首部の両側の肩部へ前身肩部１１４ａ，１１４ｂ及び後身肩部１３３ａ，１３３ｂを対応させるように被着することによって着用者１の胸面・腹面に対応した位置に前身頃体１１０が対応し、後身頃体１３０が着用者１の背面に対応する。
【００９５】
次に、後身連結部１３６ａ，１２３ｂ及び後身装着部１３５の両端部分を図２２に示すように、前身頃体１１０における前身主体部１１２の表面へ巻きき付けるように被せ、一対の前身装着部１１２ｃ、１１２ｄ及び前身主体部１１２の下部の表面に設けられている止着部材１１２ｍ（図２４を参照）に後身連結部１３６ａ，１３６ｂの止着部材（図示せず）を止着する。この際、後身装着部１３５は、互いに両端部同士を止着部材１３５ａ，１３５ｂによって合わせることにより止着する。この際、第１及び第２解除部材１５１，１５２、１５６，１５７は、第１及び第２連結手段１４１，１４２，１４５，１４６側へ引っ張られている。
【００９６】
以下に、図１に示した装着状態から第１及び第２解除部材１５１，１５２、１５６，１５７によって、前身主体部１１２及び後身主体部１３２、前身肩部１１４ａ，１１４ｂ及び後身肩部１３３ａ，１３３ｂの連結状態を解除する操作について説明する。
【００９７】
図２２乃至図２８を参照して、第１連結手段１４１，１４２及び第２連結手段１４６，１４７は、図２８に示した操作部１７１を後身主体部１３２の裏面から離れるように引っ張ることによって連結が解除される。
【００９８】
第１連結手段１４１，１４２は、上述したように、装着者１の胸面から腹面にかけて設けられているトップオープンタイプのジッパーであり、第１主体側連結部材１４１ａ，１４２ａに設けられているスライダー１４１ｓ，１４２ｓに第１解除部材１５１，１５２の一端部が接続されている。
【００９９】
第１解除部材１５１，１５２は、後身主体部１３２の後身連結部１３６ａ，１３６ｂ及び前身主体部１１２が連結している状態から第１連結手段１４１，１４２を引き離すことによって連結状態が解除される。
【０１００】
第１解除部材１５１，１５２は、操作部１７１を引っ張ると、装着者１の腹面で胸面の方向へ移動する。スライダー１４１ｓ，１４２ｓは、第１解除部材１５１，１５２によって引き上げられる。このとき、第１主体側連結部材１４１ａ，１４２ａと、第１前身側連結部材１４１ｂ，１４２ｂは離されて連結状態が解除される。
【０１０１】
この際、図２３（Ｂ）にも示したように、テープ状の第２前身連結部材１５５ａ，１５５ｂが後身頃体１３０上へ第２解除部材１５６，１５７により引っ張られて、止着部材１５５ｄ，１５５ｅ，１５５ｍ，１５５ｎの止着が解除されることによって、後身肩部１３３ａ，１３３ｂに固定されているリング状の後身連結部材１６１ａ，１６１ｂから外れると、第２後身連結手段１４６，１４７の連結が解除される。
【０１０２】
なお、第１及び第２連結手段１４１，１４２，１４６，１４７の連結が解除されたときには、後身装着部１３５の止着部材１３５ａ，１３５ｂが止着されたままであり、一対の後身被覆部１３８ａ，１３８ｂの被覆連結部材１３８ｄ、１３８ｅが連結したままである。
【０１０３】
このとき、第１及び第２連結手段１４１，１４２，１４６，１４７は、すでに連結が解除されているので、前身頃体１１０及び後身頃体１３０の自重によって前身頃体１１０及び後身頃体１３０が着用者１の上半身から下へ落ちることによって離脱される。
【０１０４】
操作部１７１は、片手で操作することによって第１及び第２解除部材１５１，１５２、１５６，１５７を同時に引っ張ることができる。よって、第１及び第２連結手段１４１，１４２、１４６，１４７は、片手によって同時に引き離されることによって協働して連結状態が解除できる。
【０１０５】
実施例２にける第１及び第２連結手段１４１，１４２、１４６，１４７は、左右方向の引っ張りに強い面ファスナー（ベルベットクロス・ファスナー）、スナップ式ファスナー、スナップボタン、ファスナーテープ、スナップテープなどから選択した一種を連結手段として利用することもできる。
【０１０６】
止着部材１１２ｍ，１３５ａ，１３５ｂ、１５５ｄ，１５５ｅ，１５５ｍ，１５５ｎは、面ファスナー、スナップ式ファスナー、スナップボタン、ファスナーテープ、スナップテープなどから選択して適宜に利用する。なお、止着部材１１２ｍ，１３５ａ，１３５ｂは、例えば、面ファスナーを用いた場合に、止着箇所により止着面積を適宜に設計して利用する。
【０１０７】
テープ状の第２後身連結部材１５５ａ，１５５ｂは、たとえば、樹脂糸を編成してバンド状に形成したものを採用することができる。第１及び第２解除部材１５１，１５２，１５６，１５７は、これらが一本の樹脂線材が望ましいが、糸紐、糸撚線材、鋼線材のような引っ張り力に対して容易に切断しない部材を採用する。前身頃体１１０及び後身頃体１３０は、樹脂シート、布などの外被を袋形状にして一体に縫製することができる。さらに、後身装着部１３５は、後身主体部１３２の下部を左右に延長することによっても製作できるものである。
【０１０８】
なお、第１連結手段１４１，１４２であるトップオープンタイプのジッパーは、実施例１と同様に逆転して位置させるようにしてもよい。
【産業上の利用可能性】
【０１０９】
本発明の胴衣は、浮力部材を設けた救命胴衣、防刃部材を設けた防刃胴衣、もしくは防弾部材を設けた防護胴衣として適用できる。
【図面の簡単な説明】
【０１１０】
【図１】本発明に係る胴衣の実施例１を示す正面図である。
【図２】図１の胴衣を斜め右側から見た状態を示す斜視図である。
【図３】図１の胴衣を斜め右側の背面側から見た状態を示す斜視図である。
【図４】図１の胴衣を背面から見た状態の背面図である。
【図５】図１の胴衣の前身頃体を展開して示した正面図である。
【図６】図１の胴衣の後身頃体を展開して示した背面図である。
【図７】図５の胴衣の後身頃体を裏面で展開した状態を示す背面図である。
【図８】図１に示した胴衣の一部を取り外した状態で第１連結手段を左側から見た状態を示した斜視図である。
【図９】図１に示した胴衣の一部を取り外した状態を正面から見た状態の正面図である。
【図１０】図１に示した胴衣の一部を取り外した状態を左側から見た状態の斜視図である。
【図１１】図１に示した胴衣を装着者に装着した状態を示す正面図である。
【図１２】図１に示した胴衣の第２連結手段を説明するための正面図である。
【図１３】図１に示した胴衣の解除部材を説明するための斜視図である。
【図１４】図１に示した胴衣の第１連結手段の連結を解除する途中の状態を示す斜視図である。
【図１５】図１４に示した胴衣の第１連結手段の連結をさらに解除する途中の状態を示す斜視図である。
【図１６】図１５に示した胴衣の第１連結手段の連結を解除した状態を示す斜視図である。
【図１７】図１に示した胴衣の第２連結手段の連結を解除する途中の状態を示す斜視図である。
【図１８】図１に示した胴衣の第２連結手段の連結を解除する途中の状態を示す斜視図である。
【図１９】図１に示した胴衣の第２連結手段の連結が解除された状態を示す斜視図である。
【図２０】図１９に示した胴衣の第２連結手段の連結がさらに解除された状態を示す斜視図である。
【図２１】図５の胴衣の後身頃体を裏面で展開した状態を示しており、操作部を裏面側に設けた例を示す背面図である。
【図２２】本発明の胴衣を着用者に装着した状態の実施例２を示す正面図である。
【図２３】（Ａ）は図２２のXXIII-XXIII線断面図、（Ｂ）は（Ａ）に示した一方の第２連結手段が解除される途中の状態を拡大して示した説明図である。
【図２４】図２２に示した前身頃体を展開した状態を示した正面図である。
【図２５】図２４に示した前身頃体を裏面から見た背面図である。
【図２６】図２２に示した後身頃体を展開して外側から見た状態を示した背面図である。
【図２７】図２６に示した後身頃体内側から見た状態を示した背面図である。
【図２８】図２６に示した後身頃体から後身被覆部を除いた状態を示した背面図である。
【符号の説明】
【０１１１】
１    着用者
１０，１１０    前身頃体
１２，１１２    前身主体部
１２ｍ，１２ｎ、１２ｐ，１２ｑ、１２ｒ、１６ｍ，１６ｎ、３４ｎ、
５５ｄ，５５ｅ、７１ａ，１１２ｍ、１３５ａ，１３５ｂ，１５５ｍ，１５５ｎ    止着部材
１４ａ，１４ｂ，１１４ａ，１１４ｂ    前身肩部
１６ａ，１６ｂ    前身連結部
３０，１３０    後身頃体
３２，１３２    後身主体部
３３ａ，３３ｂ，１３３ａ，１３３ｂ    後身肩部
３４ａ，３４ｂ，１３５    後身装着部
４１，４２，１４１，１４２    第１連結手段
４１ａ，４２ａ    第１主体側連結部材
４１ｂ，４２ｂ    第１前身側連結部材
４６，４７，１４６，１４７    第２連結手段
５１，５２，１５１，１５２    第１解除部材
５６，５７，１５６，１５７    第２解除部材
５５ａ，５５ｂ    第２前身連結部材
６１ａ，６１ｂ    第２後身連結部材
７１，１７１    操作部
１１２ｃ，１１２ｄ    前身装着部
１３８ａ，１３８ｂ    後身連結部
【図１】
2006144170.tif 000003
【図２】
2006144170.tif 000004
【図３】
2006144170.tif 000005
【図４】
2006144170.tif 000006
【図５】
2006144170.tif 000007
【図６】
2006144170.tif 000008
【図７】
2006144170.tif 000009
【図８】
2006144170.tif 000010
【図９】
2006144170.tif 000011
【図１０】
2006144170.tif 000012
【図１１】
2006144170.tif 000013
【図１２】
2006144170.tif 000014
【図１３】
2006144170.tif 000015
【図１４】
2006144170.tif 000016
【図１５】
2006144170.tif 000017
【図１６】
2006144170.tif 000018
【図１７】
2006144170.tif 000019
【図１８】
2006144170.tif 000020
【図１９】
2006144170.tif 000021
【図２０】
2006144170.tif 000022
【図２１】
2006144170.tif 000023
【図２２】
2006144170.tif 000024
【図２３】
2006144170.tif 000025
【図２４】
2006144170.tif 000026
【図２５】
2006144170.tif 000027
【図２６】
2006144170.tif 000028
【図２７】
2006144170.tif 000029
【図２８】
2006144170.tif 000030